(57)【要約】      （修正有）【課題】建物の壁側に設けられているサッシュの結露を防止すると共に美観を有し、かつ施工性がよい簡便構造のサッシュ結露防止部材を提供する。【解決手段】サッシュ結露防止部材１００は、樹脂材１とその内面に粘着される両面粘着テープ２と樹脂材１の表面に着脱可能又は固着される化粧テープ３とを重ね合わせたものからなる。サッシュの結露面に粘着され結露面を覆うことにより結露防止ができる。【選択図】図１
0003145929.tif 000002
【実用新案登録請求の範囲】
【請求項１】
建物のサッシュの結露防止用部材であって、該部材は、前記サッシュの結露防止対象部を覆う細長の板状体からなり、該板状体は、樹脂材と、この内面に粘着されている両面粘着テープと、外面に着離可能又は固着される化粧テープとからなることを特徴とするサッシュ結露防止部材。
【請求項２】
前記板状体の樹脂材が端側を折り曲げられるＬ型又はコ字状型のもの又はストレートのものからなることを特徴とする請求項１に記載のサッシュ結露防止部材。
【請求項３】
両端側を折り曲げてなる前記樹脂材の折り曲げ長さが同一又は相違するものからなることを特徴とする請求項２のサッシュ結露防止部材。
【請求項４】
前記樹脂材が、切り込み部を有し、該切り込み部を折り曲げて長さを可変にするものからなることを特徴とする請求項１乃至３のいずれかに記載のサッシュ結露防止部材。
【請求項５】
前記切り込み部が、前記樹脂材の長手方向に沿って複数箇所形成されるものからなることを特徴とする請求項４に記載のサッシュ結露防止部材。
【考案の詳細な説明】
【技術分野】
【０００１】
本考案は、サッシュの結露を防止するための被包部材に係り、特に、施工性がよく、美観にも優れる簡便構造のサッシュ結露防止部材に関する。
【背景技術】
【０００２】
建物のガラス戸等の壁部側の開閉部にはサッシュが通常使用されている。このサッシュ構造としては各種多様のものがあるが、例えば、図１０に示すようなサッシュ５がある。このサッシュ５は建物の壁側の木材６のコーナ６ａの部分にその一部のサッシュ部５ｂを固定させて配設されるものが多い。このコーナ６ａの部分を覆って固定されているサッシュ部５ｂの表面は建物の内外部の温度差による影響を受け易く結露する場合が多い。
この部分に結露が生ずると木材６，７を痛めるのみならず建物内の居住性や美観を損う問題点が生ずる。このため、従来より、各種のサッシュの結露防止策が開示されている。
「特許文献１」はその一例を示すものである。
【特許文献１】特開２００８−９５３２５号（図２）
【考案の開示】
【考案が解決しようとする課題】
【０００３】
「特許文献１」の「特開２００８−９５３２５号」の「既設サッシュ枠の結露防止構造、及び、既設サッシュ枠用結露防止具」は、家屋の壁面開口部に設けられている木枠の表面に柔軟な断熱部材と、この断熱部材を覆う樹脂材の保護カバーとからなり、前記保護カバーのサッシュ及び木枠との当接する縁部をコーキング剤で密封したものからなる。
このものは、後に説明する本考案の結露防止部材と似ている点もあるが、全体構成が相異すると共にコーキング剤等を使用し、着脱不可能であり美観の点においても特に特徴のあるものではない。また、他の公知技術も本願考案者の先行技術調査においては同一又は類似のものは見当らない。
【０００４】
本考案は、以上の事情に鑑みて考案されたものであり、施工性がよく、外観美もあり、簡便で安価な実施できるサッシュ結露防止部材を提供することを目的とする。
【課題を解決するための手段】
【０００５】
本考案は、以上の目的を達成するために、請求項１の考案は、建物のサッシュの結露防止用部材であって、該部材は、前記サッシュの結露防止対象部を覆う細長の板状体からなり、該板状体は、樹脂材と、この内面に粘着されている両面粘着テープと、外面に着離可能又は固着される化粧テープとからなることを特徴とする。
【０００６】
また、請求項２の考案は、前記板状体の樹脂材が端側を折り曲げられるＬ型又はコ字状型のもの又はストレートのものからなることを特徴とする。
【０００７】
また、請求項３の考案は、両端側を折り曲げてなる前記樹脂材の折り曲げ長さが同一又は相違するものからなることを特徴とする。
【０００８】
また、請求項４の考案は、前記樹脂材が、切り込み部を有し、該切り込み部を折り曲げて長さを可変にするものからなることを特徴とする。
【０００９】
また、請求項５の考案は、前記切り込み部が、前記樹脂材の長手方向に沿って複数箇所形成されるものからなることを特徴とする。
【考案の効果】
【００１０】
本考案の請求項１のサッシュ結露防止部材によれば、本考案のサッシュ結露防止部材は樹脂材と両面粘着テープと化粧テープとの三重構造からなるが、この構造は容易に積重でき、各部材が比較的安価に求められるため安価に実施できる。また、化粧テープを用いるため外観美にも優れる。また、両面粘着テープを用いるため特別の粘着材が不要となり、施工性もよい。
【００１１】
また、請求項２のサッシュ結露防止部材によれば、本考案のサッシュ結露防止部材は端側を折り曲げた樹脂材を使用することによりサッシュとの結合性がよく、施工性の向上が図れる。なお、端側の折り曲げは一方側でも両側でもよく、また、折り曲げがないストレートのものもよい。
【００１２】
また、本考案の請求項３のサッシュ結露防止部材によれば、両端に折り曲げ部を有するものではその折り曲げ長さが同一又は相異してもよく、サッシュ構造に対応して選択することができ、確実な施工ができる。
【００１３】
また、本考案の請求項４のサッシュ結露防止部材によれば、切り込み部を有するため、別物を準備する必要がなくサッシュの構造に対応したものを容易に形成することができる。
【００１４】
また、本考案の請求項５のサッシュ結露防止部材によれば、切り込み部を複数箇所設けることにより、長さ対応の自由度の向上が図れる。
【考案を実施するための最良の形態】
【００１５】
以下、本考案のサッシュ結露防止部材の実施の形態を図面を参照して詳述する。
【実施例１】
【００１６】
実施例１は本考案のサッシュ結露防止部材１００の全体構造を示す断面図であり、本実施例では樹脂体１としては図２に示す一端側のみに折り曲げ部１ａを有するものが適用されているが、勿論、樹脂体１は後記するようにこれに限定するものではない。
図示のようにサッシュ結露防止部材１００は、樹脂材１と、その下面に接着されている両面粘着テープ２と、樹脂材１の表面に着脱可能又は固着されている化粧テープ３等を重ね合わせた三重構造のものからなる。
【００１７】
この樹脂材１は樹脂からなるが、その材質は特に限定するものではないが、耐熱性，耐候性，耐色性等があるものが望ましい。また、表面にヘアーライン加工したものも適用され、その色彩も各色のものが採用されても構わない。なお、図２では折り曲げ部１ａがストレート部１ｂよりも厚みが狭いものからなるが特に限定するものではない。
また、両面粘着テープ２は一般に市販されているもので十分であり、特に、断熱性を要求するものでなくてもよい。
また、化粧テープ３としては各種のものが適用され、例えば、粘着付化粧フィルム、汚れ防止付化粧フィルム，耐候性，耐熱性，耐水性，耐油性等の種々の機能を有するものでもよいが特に限定するものではない。
【実施例２】
【００１８】
図３は両端に折り曲げ部１ａ，１ａを形成する樹脂材１Ａを示す。このものはストレート部１ｂと折り曲げ部１ａ，１ａの厚み寸法は同一のものからなるが特に限定するものではない。
【実施例３】
【００１９】
図４は両端に折り曲げ部１ａ，１ａ′を形成する樹脂材１Ｂを示す。このものはストレート部１ｂと折り曲げ部１ａ，１ａ′の厚み寸法は同一であるが特に限定するものではない。但し、このものは折り曲げ部１ａと１ａ′との長さが相違するものであり、サッシュ形状に対応するために長さ違いにしたものである。
【実施例４】
【００２０】
図５に示すように、この樹脂材１Ｃは端部に折り曲げ部のないストレート部１ｂのみのものからなる。折り曲げ部を必要としないサッシュに対して適用されるものである。
【実施例５】
【００２１】
図６に示すように、この樹脂材１Ｄは端部の一方側にのみ折り曲げ部１ａを有するものであるが、ストレート部１ｂに切り込み部４を形成するものである。本実施例では切り込み部４は５箇所形成されているが、その数は特に限定するものではない。
【実施例６】
【００２２】
実施例６は以上の実施例において示した樹脂材を用いた使用例の１つを示すものである。なお、この使用例では実施例１のサッシュ結露防止部材１００が適用されているものである。
図７に示すようにこの実施例６ではサッシュ５は図示のようなやや複雑な断面形状を示しているものが一例として適用されている。このサッシュ５は木材６，７等に固定されて配設されるものであり、サッシュ５のサッシュ部５ａが木材６に接して固定されて立ち上がり、このサッシュ部５ａに結露が生じ易い。本実施例のサッシュ結露防止部材１００はこのサッシュ部５ａの結露発生側を覆って取り付けられている。図示のように、サッシュ結露防止部材１００の両面粘着テープ２がサッシュ部５ａに粘着され、樹脂材１及び化粧テープ３の部分がサッシュ部５ａを覆うと共にサッシュ部５ａのコーナ部５ａ′に係着しこの部分を覆って配設される。
以上のようにサッシュ部５ａを覆ってサッシュ結露防止部材１００を設けることによりサッシュ部５ａの結露が防止される。また、化粧テープ３の存在により美観の向上や耐候性等の向上を図ることができる。
【実施例７】
【００２３】
図８はサッシュ５のサッシュ部５ｂは略直角に折り曲がって木材６の上面のコーナ部６ａの近傍に喰い込んで配設されるものに適用される実施例を示すものである。結露はこのサッシュ部５ｂの表面に発生する。この実施例では図示のように図３に示した樹脂材１Ａが採用されたサッシュ結露防止部材１００Ａが採用され、サッシュ部５ｂを覆って配設される。これによりサッシュ５ｂの結露防止ができる。また、美観や耐候性の向上を図ることもできる。
【実施例８】
【００２４】
この実施例が適用されるサッシュ５は実施例７のものと基本的には同一のものであるが、サッシュ部５ｂが木材６の上面のコーナ部６ａの近傍を覆って重合しているものに適用される。この場合には図４に示した樹脂材１Ｂを用いたサッシュ結露防止部材１００Ｂが配設される。以上により、実施例７と同様にサッシュ部５ｂの結露防止や美観や耐候性の向上を図ることができる。
【００２５】
以上の説明では樹脂材１等について各種のものを開示し、また、実施例６，７，８において使用例を示したが、本考案は以上の内容に限定するものではなく、同一技術的範疇のものが適用されることは勿論である。また、化粧テープ３としては着脱可能のものもあり、これを使用しないで施工することも勿論可能である。
【産業上の利用可能性】
【００２６】
本考案のサッシュ結露防止部材は、すべての形状のサッシュに適用可能であり、その利用範囲は広い。また、本考案はサッシュ以外でも結露防止を必要とする部位にも適用可能であり、その利用範囲は極めて広い。
【図面の簡単な説明】
【００２７】
【図１】本考案のサッシュ結露防止部材の全体構造を示す断面図。
【図２】一端部に折り曲げ部を形成する樹脂材の断面図。
【図３】両端部に同一長さの折り曲げ部を形成する樹脂材の断面図。
【図４】両端部に長さの異なる折り曲げ部を形成する樹脂材の断面図。
【図５】端部に折り曲げ部のないストレートの樹脂材の断面図。
【図６】一端部に折り曲げ部を形成すると共にストレート部に複数（図示では５箇所）切り込み部を形成する樹脂材の断面図。
【図７】本考案のサッシュ結露防止部材の使用例を示す断面図。
【図８】本考案のサッシュ結露防止部材の他の使用例を示す断面図。
【図９】本考案のサッシュ結露防止部材の他の使用例を示す断面図。
【図１０】建物における従来の一般的サッシュ構造を示す断面図。
【符号の説明】
【００２８】
１        樹脂材
１ａ      折り曲げ部
１ａ′    折り曲げ部
１ｂ      ストレート部
１Ａ      樹脂材
１Ｂ      樹脂材
１Ｃ      樹脂材
１Ｄ      樹脂材
２        両面粘着テープ
３        化粧テープ
４        切り込み部
５        サッシュ
５ａ      サッシュ部
５ａ′    コーナ部
６        木材
６ａ      コーナ部
７        木材
１００    サッシュ結露防止部材
１００Ａ  サッシュ結露防止部材
１００Ｂ  サッシュ結露防止部材
【図１】
0003145929.tif 000003
【図２】
0003145929.tif 000004
【図３】
0003145929.tif 000005
【図４】
0003145929.tif 000006
【図５】
0003145929.tif 000007
【図６】
0003145929.tif 000008
【図７】
0003145929.tif 000009
【図８】
0003145929.tif 000010
【図９】
0003145929.tif 000011
【図１０】
0003145929.tif 000012